(57)【要約】【課題】  種々のシート材料に対応できる易開封手段を備えた包装体を提供する。【解決手段】  第１包装体を第２包装体上に一部重ね合わせて配し、該重ね合わせ部分Ｌ上にテープ材３を配する。そしてテープ材３が下面になるように二重環ミシン７にセットし、前記重ね合わせ部分Ｌ上を縫製して環縫い目Ｄを形成させる。環縫い目Ｄを構成するわたり糸４の縫い終わり端部４ａを引っ張ると環縫い目Ｄは縫い終わり部分から徐々にほつれ、両包装体１，２およびテープ材３は互いに解離する。【選択図】        図１
2005313961.tif 000002
【特許請求の範囲】
【請求項１】
固体状の被包装物を包装するシート状包装体において、第１包装体と第２包装体とを一部重ね合わせ、該重ね合わせ部分を環縫いの縫い目で縫合するとともに、前記縫い目の縫い終わりで針糸とわたり糸とを切断したことを特徴とするシート状包装体。
【請求項２】
前記重ね合わせ部分に沿ってテープ材を下面に配し縫合したことを特徴とする、請求項１記載のシート状包装体。
【請求項３】
前記縫い目の縫い終わりにおいて切断されたわたり糸の端部に装飾体を設けたことを特徴とする、請求項１または請求項２に記載のシート状包装体。
【請求項４】
固体状の被包装物を包装するシート状包装体において、第１包装体と第２包装体の各々の一辺を突き合わせ、該突き合わせ部分に沿ってテープ材を下面に配し、該突合せ部分を複数の針糸列で挟むように環縫いの縫い目で縫合するとともに、前記縫い目の縫い終わりで針糸とわたり糸とを切断したことを特徴とするシート状包装体。
【発明の詳細な説明】
【技術分野】
【０００１】
本発明は、固体状の被包装物を包装する易開封性を備えたシート状包装体に関する。
【背景技術】
【０００２】
従来、この種のシート状包装体としては、カットテープを用いたものが知られている（例えば、特許文献１参照。）。被包装物を包装するフィルム包装体の表面にはカットテープが貼着されており、カットテープの端部の摘まみを引っ張るとフィルム包装体はカットテープに沿って容易に切り取られる
【０００３】
【特許文献１】特開平９−１７５５６４号公報（第４頁左欄、第１図）
【発明の開示】
【発明が解決しようとする課題】
【０００４】
ところが、従来のシート状包装体では、一般に市販されている包装紙などにカットテープを用いることが困難であった。即ち、カットテープを包装体に貼着する手段は一般に融着あるいは接着剤による接合であるが、前者は包装体がプラスチック材に限定され、後者は包装体が紙材だとカットテープに沿って綺麗に切り取り難いという問題が有った。
【課題を解決するための手段】
【０００５】
上記課題を解決するために、請求項１に係る発明は、固体状の被包装体を包装するシート状包装体において、第１包装体と第２包装体とを一部重ね合わせ、該重ね合わせ部分を環縫いの縫い目で縫合するとともに、前記縫い目の縫い終わりで針糸とわたり糸とを切断したことを特徴とする。なお、重ね合わせ部分に沿ってテープ材を下面に配し縫合するのが望ましく、縫い目の縫い終わりにおいて切断されたわたり糸の端部に装飾体を設けるとよい。
【０００６】
請求項４に係る発明は、固体状の被包装物を包装するシート状包装体において、第１包装体と第２包装体の各々の一辺を突き合わせ、該突き合わせ部分に沿ってテープ材を下面に配し、該突合せ部分を複数の針糸列で挟むように環縫いの縫い目で縫合するとともに、前記縫い目の縫い終わりで針糸とわたり糸とを切断したことを特徴とする。
【発明の効果】
【０００７】
本発明によれば、わたり糸の縫い終わり端部を引っ張ると、環縫いの縫い目は縫い終わり部分から徐々にほつれ、第１包装体と第２包装体が分離される。包装体は一般に市販されている包装紙など縫製可能な材料を種々用いることが出来、また第１包装体と第２包装体とで異なる材料を用いることが出来る。また、第１包装体と第２包装体のと重ね合わせ部分あるいは突き合わせ部分に沿ってテープ材を下面に配し縫合すると、テープ材が縫合部分を補強するとともに、装飾の効果を奏する。さらに、わたり糸の縫い終わり端部にリボン等の装飾品を設けると、該装飾品が摘まみと装飾を兼ね、贈答用途により適したものとなる。
【発明を実施するための最良の形態】
【０００８】
以下、本発明に係る実施の形態を図面を用いて説明する。図３はシート状包装体Ｐの展開図である。方形の紙材である第２包装体２の端部２ａを覆うように、方形の紙材である第１包装体の一部が重ね合わされている。テープ材３はリボンであり、前記の重ね合わせ部分Ｌに沿って第１包装体の端部１ａおよび第２包装体２の端部２ａを覆うようにして配されている。そして重ね合わせ部分Ｌ上でテープ材３の長尺方向に沿って形成される環縫い目Ｄにより、第２包装体２、第１包装体１およびテープ材３は縫合されている。
【０００９】
環縫い目Ｄは、ＪＩＳ  Ｌ  ０１２０に規定された縫い目形式４０６で表される縫い目であり、図５に示すような一般に公知である二重環縫いミシン７を用い、２本の針糸５，５とわたり糸（ルーパ糸）４との係合により形成される。環縫い目Ｄの形成方法を図２、図３に基づいて説明する。上述のように第２包装体２、第１包装体１、テープ材３を重ね合わせ（図２参照）、重ね合わせ部分Ｌの右側端部Ｌａを始点として、テープ材３が下面となるように二重環縫いミシン７にセットし、Ｆ方向に縫製を行う。そして重ね合わせ部分Ｌの左側端部Ｌｂにおいて、縫製を一旦停止し、公知の方法で二重環ミシン７を１回転だけ逆回転操作を行った後に、針糸５，５およびわたり糸４を切断することで縫製を終了する。このとき、環縫い目Ｄの縫い終わり部分において、図３に示すようにわたり糸４の縫い終わり端部４ａがテープ材３表面側に突出している。
【００１０】
図１は上述のように構成されたシート状包装体Ｐを直方体の被包装物（図示せず）に適用した斜視図である。わたり糸４の縫い終わり端部４ａを引っ張ると、図４に示すようにわたり糸４が徐々にほつれ、テープ材３、第１包装体１および第２包装体２は互いに解離する。また、縫い終わり端部４ａに図示しないリボン飾り等の装飾体を固着すれば、包装の見栄えが良くなるとともに、縫い終わり端部４ａが引っ張り易くなる。
【００１１】
上記実施形態では第１包装体１と第２包装体２の一部が重ね合わされているが、それらを重ね合わせずに環縫い目で縫合することも出来る（図６参照）。第１包装体１の一辺１ａと第２包装体２の一辺２ａは互いに突き合わせされ、その突き合わせ部分Ｊに沿ってテープ材３が配されている。そして、突き合わせ部分Ｊを針糸列５，５および５’，５’が挟むように、二つの環縫目Ｄ，Ｄ’が形成されている。環縫い目Ｄ，Ｄ’はテープ材３が下面に配された状態で各々が突き合わせ部分Ｊの端部より縫製されることで、各々の糸の縫い終わり端部４ａ，４ａ’は突き合わせ部分Ｊの中途で対向している。縫い終わり端部４ａ，４ａ’は図示しない装飾体に固着されている。この様にして形成されたシート状包装体Ｐは、図示しない装飾体を引っ張ると、縫い終わり端部４ａ，４ａ’は各々の縫い始め部分に向かって徐々にほつれ、テープ材３、第１包装体１および第２包装体２は互いに解離する。なお、第１包装体１と第２包装体２が単一の材料である場合には、一つの包装体にテープ材３を適宜配し、テープ材３上に環縫い目Ｄ，Ｄ’を形成した後に、環縫い目Ｄ，Ｄ’の各針糸列間５，５および５’，５’で該一つの包装体を図６の一辺１ａ，２ａの様に切断することにより、第１包装体１および第２包装体２を形成することが出来る。
【００１２】
なお、上記実施形態において、第１包装体１および第２包装体２は紙材としたが、これに限定されるものではなく、布生地、フィルム状プラスチック等縫製可能な種々の材料を用いることができる。また、環縫い目Ｄについても、ＪＩＳ  Ｌ  １２０規定の縫い目形式４０６に限定されるものではなく、同規定の縫い目形式４０７、６０２、６０５、６０７等種々の縫い目形式で形成することができる。
【００１３】
また、上記実施形態においてはテープ材３を一つだけ用いているが、これをシート状包装体Ｐの中途で分割するとともに、この分割された左右一対のテープ材が前記分割部分において各々が過剰に延設されるようにし、該一対のテープ材上にそれぞれ環縫い目を形成するようにしてもよい。この様にすれば、テープ材の延設された部分同士を結び合わせることで、テープ材自体を装飾として利用することが出来る。
【図面の簡単な説明】
【００１４】
【図１】本発明に係るシート状包装体を直方体の被包装物に適用した例を示す要部斜視図である。
【図２】本発明に係るシート状包装体の展開表面図である。
【図３】同包装体の構成部材の重なり方を示す展開表面図である。
【図４】図１の適用例において開封方法を示す要部斜視図である。
【図５】二重環縫いミシンの要部を示す斜視図である。
【図６】本発明に係るシート状包装体の別の実施形態を示す展開表面図である。
【符号の説明】
【００１５】
１            第１包装体
１ａ          一辺
２            第２包装体
２ａ          一辺
３            テープ材
４，４’      わたり糸
４ａ，４ａ’  縫い終わり端部
５，５’      針糸
７            二重環縫いミシン
Ｄ，Ｄ’      環縫い目
Ｊ            突き合わせ部分
Ｌ            重ね合わせ部分
Ｐ            シート状包装体
【図１】
2005313961.tif 000003
【図２】
2005313961.tif 000004
【図３】
2005313961.tif 000005
【図４】
2005313961.tif 000006
【図５】
2005313961.tif 000007
【図６】
2005313961.tif 000008